(57)【要約】      （修正有）【課題】石垣と支柱が組み合わされた壁面を簡単に設置する。【解決手段】網目状に形成してその内部に多数の石Ｓが充填される網状容器１と、前記網状容器１の一部に当接するように並べられる支柱２とを備え、前記網状容器１と前記支柱２との当接面のいずれか一方に凸部３を形成し、他方に前記凸部３と嵌り合う凹部４を形成し、前記凸部３及び前記凹部４を嵌合して前記網状容器１と前記支柱２とが並べられることで壁面Ｗを構成することにより、網状容器１が支柱２で支えられ、網状容器１内の多数の石Ｓが網目を透して外から見える。【選択図】図１
2011083200.tif 000002
【特許請求の範囲】
【請求項１】
網目状に形成してその内部に多数の石が充填される網状容器と、
前記網状容器の一部に当接するように並べられる支柱とを備え、
前記網状容器と前記支柱との当接面のいずれか一方に凸部を形成し、他方に前記凸部と嵌り合う凹部を形成し、前記凸部及び前記凹部を嵌合して前記網状容器と前記支柱とが並べられることで壁面を構成したことを特徴とする屋外構築物。
【請求項２】
前記網状容器が前記支柱に沿って複数個積み上げられ、これら網状容器の開口部を連通させたことを特徴とする請求項１記載の屋外構築物。
【請求項３】
請求項１又は２記載の屋外構築物に用いる前記網状容器であって、対向する二組の側面を有し、これら側面のいずれか一方又は両方の対向位置に亘って補強線を横架したことを特徴とする網状容器。
【請求項４】
請求項２記載の屋外構築物に用いる前記網状容器であって、該網状容器の積み上げ時に対向する端部のいずれか一方に、他方へ向け突出して積み上げ方向と交差する横方向へ移動不能に係合する突起部を設けたことを特徴とする網状容器。
【請求項５】
請求項１又は２記載の屋外構築物に用いる前記網状容器であって、四角筒状となる対向する二組の側面を有し、これら側面のいずれか一方が二分割される一対の半分体を形成し、前記半分体の端部同士をそれぞれ当接させて四角筒状に連結したことを特徴とする網状容器。
【発明の詳細な説明】
【技術分野】
【０００１】
本発明は、例えば門柱、門袖、塀、門柱、花壇、ベンチなど、一般家屋の外構やエクステリアとして使用される屋外構築物、及び、それに用いる網状容器に関する。
詳しくは、リサイクルが可能で環境を配慮したものに関する。
【背景技術】
【０００２】
従来、この種の屋外構築物として、前面網目と後面網目及び側面台形網目及び底網で囲んだ立体四角形のメッシュ金網ブロック体を、住宅地等の境界線に沿って居宅を囲むよう多数個列設して擁壁とし、前記メッシュ金網ブロック体の内部に植生用土壌を充填し植物根を植え込み植生緑化して生け垣を兼ねるものがある（例えば、特許文献１参照）。
また、金網を多面に連接して立体形状とした金網ブロック体と、当該金網ブロック体の内面に内張りした植生ネットと、中に充填する植生用土壌とからなり、金網ブロック体の構成を、金網の線自体に強度を付与して特に補強縁及び独立柱を設けず、植生ネットは補強の升目枠を必要としない厚み繊維シートとして工作容易にすると共に、金網ブロック体を円柱や多角柱状等の柱状ブロック群と、直線，曲線，平面，曲面を駆使した梁型ブロック群のランダムな組み合わせ形状とした造形ブロックを構成することにより、門柱，塀等の家屋外構，庭園のガーデニング等を含む環境エクステリアをデザイン化して緑化コーデニングをするものがある（例えば、特許文献２参照）。
【先行技術文献】
【特許文献】
【０００３】
【特許文献１】特開２００３−３２１８１８号公報
【特許文献２】特開２００４−２８３１５５号公報
【発明の概要】
【発明が解決しようとする課題】
【０００４】
しかし乍ら、このような従来の屋外構築物では、特許文献１の場合、金網ブロック体の側面を台形にして自立可能にしているため、例えば門柱などの外構やエクステリアとして簡単に設置できないという問題があった。
また、特許文献２の場合には、金網ブロック体を構成する金網の線自体に強度を付与して補強縁及び独立柱を設けないため、金網の線自体が太くなって、金網ブロック体内の植生用土壌に代えて多数の石を充填しても、金網のみが目立ってしまい、石が持つ風合いをうまく表現できず、デザイン性に劣るという問題があった。
【０００５】
本発明は、このような問題に対処することを課題とするものであり、石垣と支柱が組み合わされた壁面を簡単に設置すること、網状容器を小型化しつつ石の充填を容易にすること、などを目的とするものである。
また、本発明の屋外構築物に用いる網状容器は、網状材料の曲げ強度が低くても石の充填により網状容器の側面が膨出することを防止すること、網状容器の積み上げ時における網目の目違いを防止すること、網状容器を容易に製造すること、などを目的とするものである。
【課題を解決するための手段】
【０００６】
このような目的を達成するために本発明による屋外構築物は、網目状に形成してその内部に多数の石が充填される網状容器と、前記網状容器の一部に当接するように並べられる支柱とを備え、前記網状容器と前記支柱との当接面のいずれか一方に凸部を形成し、他方に前記凸部と嵌り合う凹部を形成し、前記凸部及び前記凹部を嵌合して前記網状容器と前記支柱とが並べられることで壁面を構成したことを特徴とする。
【０００７】
前述した特徴に加えて、前記網状容器が前記支柱に沿って複数個積み上げられ、これら網状容器の開口部を連通させたことを特徴とする。
【０００８】
また、前述した特徴の屋外構築物に用いる本発明の網状容器は、対向する二組の側面を有し、これら側面のいずれか一方又は両方の対向位置に亘って補強線を横架したことを特徴とする。
【０００９】
また、前述した特徴の屋外構築物に用いる本発明の網状容器は、該網状容器の積み上げ時に対向する端部のいずれか一方に、他方へ向け突出して積み上げ方向と交差する横方向へ移動不能に係合する突起部を設けたことを特徴とする。
【００１０】
また、前述した特徴の屋外構築物に用いる本発明の網状容器は、四角筒状となる対向する二組の側面を有し、これら側面のいずれか一方が二分割される一対の半分体を形成し、前記半分体の端部同士をそれぞれ当接させて四角筒状に連結したことを特徴とする。
【発明の効果】
【００１１】
前述した特徴を有する本発明の屋外構築物は、網目状に形成してその内部に多数の石が充填される網状容器と、前記網状容器の一部に当接するように並べられる支柱とを備え、前記網状容器と前記支柱との当接面のいずれか一方に凸部を形成し、他方に前記凸部と嵌り合う凹部を形成し、前記凸部及び前記凹部を嵌合して前記網状容器と前記支柱とが並べられることで壁面を構成することにより、網状容器が支柱で支えられ、網状容器内の多数の石が網目を透して外から見えるので、石垣と支柱が組み合わされた壁面を簡単に設置することができる。
その結果、網状容器と支柱をユニット式に組み合わせることで多品種の外構やエクステリアを提供することができて自由度に優れ、また網目から見える石が持つ風合いと、支柱の素材が持つ風合いとを組み合わせることで、デザイン的に優れた外構やエクステリアを提供することができる。
さらに、廃棄時には網状容器と石と支柱が簡単に分離できるため、リサイクルが容易に可能であり、特に吸水性（保水性）に優れた石を網状容器内に充填したり、網状容器の内側に土壌流出防止用シートを介して土を充填すれば、壁面を緑化することもでき、また壁面の表面に沿ってツタ植物などを絡ませる緑化も可能である。それによって、環境を配慮した外構やエクステリアを提供することができる。
【００１２】
また、前記網状容器が前記支柱に沿って複数個積み上げられ、これら網状容器の開口部を連通させた場合には、壁面全体の高さ寸法に関係なく、各網状容器の高さ寸法が低くなり、積み上げた各網状容器の開口部に対して石が一度に充填可能になるので、網状容器を小型化しつつ石の充填を容易にすることができる。
その結果、網状容器の運搬及び施工が容易になり、製造及び施工コストの低減化が図れる。
さらに、網状容器の底面を覆う底網が存在しないため、積み上げた網状容器内に充填される石は、上下方向に連続し、これら石の自重を地面に逃がせるので、各網状容器への負担が少なく、それにより、変形や破損がし難くて長期に亘り使用できる。
【００１３】
また、前述した特徴を有する本発明の網状容器は、対向する二組の側面を有し、これら側面のいずれか一方又は両方の対向位置に亘って補強線を横架することにより、網状容器の内部に多数の石を充填した際に、これら石の重量で両側面が膨出変形しないので、網状材料の曲げ強度が低くても石の充填により網状容器の側面が膨出することを防止することができる。
【００１４】
また、前述した特徴を有する本発明の網状容器は、該網状容器の積み上げ時に対向する端部のいずれか一方に、他方へ向け突出して積み上げ方向と交差する横方向へ移動不能に係合する突起部を設けることにより、複数の網状容器が積み上げられた時に、それらの側面の網目が連続するように配置されるとともに、側面同士が横方向へ移動不能に位置決めされるので、網状容器の積み上げ時における網目の目違いを防止することができる。
【００１５】
また、前述した特徴を有する本発明の網状容器は、四角筒状となる対向する二組の側面を有し、これら側面のいずれか一方が二分割される一対の半分体を形成し、前記半分体の端部同士をそれぞれ当接させて四角筒状に連結することにより、平板状に形成された網状板を４枚用意して、これら網状板の端部同士を当接させ溶接などで連結するものに比べ、連結個所が減るので、網状容器を容易に製造することができる。
【図面の簡単な説明】
【００１６】
【図１】本発明の実施形態に係る屋外構築物を示す斜視図である。
【図２】本発明の実施形態に係る網状容器の一例を示す斜視図であり、（ａ）が完成品を示し、（ｂ）が製作途中の一例を示している。
【図３】本発明の実施形態に係る網状容器の他例を示す斜視図であり、（ａ）が完成品を示し、（ｂ）が製作途中の一例を示している。
【図４】接続具の一例を示す分解斜視図である。
【図５】網状容器と支柱の接続例を示す横断平面図である。
【図６】屋外構築物の実施例を示す斜視図である。
【図７】屋外構築物の他の実施例を示す斜視図である。
【図８】屋外構築物の他の実施例を示す斜視図である。
【図９】屋外構築物の他の実施例を示す斜視図である。
【発明を実施するための形態】
【００１７】
以下、本発明の実施形態を図面に基づいて詳細に説明する。
本発明の実施形態に係る屋外構築物Ａは、図１〜図９に示すように、網目状に形成してその内部に多数の石Ｓが充填される網状容器１と、網状容器１の一部に当接するように並べられる支柱２とを備え、これら網状容器１と支柱２との当接面のいずれか一方に凸部３を形成し、他方に凸部３と嵌り合う凹部４を形成し、この凸部３及び凹部４を嵌合して網状容器１と支柱２とを所定の形状に並べることにより、外構やエクステリアなどの壁面Ｗが形成されるようにしている。
【００１８】
網状容器１は、図１〜図３に示すように、例えばステンレスやその他のスチールなどの金属からなる金網又は他の材料からなる網状体によって、対向する二組の側面１ａ，１ｂがそれぞれ形成され、これら側面１ａ，１ｂを例えば溶接などで溶着するか、又は他の固着手段で連結することにより、網状容器１全体が四角筒状に形成されて、その内部には開口部１ｃが軸方向へ貫通するように形成されている。つまり、網状容器１の上下両面は開口している。
これら二組の側面１ａ，１ｂのうち、一方の側面１ａを後述する支柱２と対向させ、これらと隣り合う他方の側面１ｂが壁面Ｗの一部を構成するようにしている。
後述する支柱２と対向する側面１ａには、凸部３又は凹部４がそれぞれ形成される。
図１〜図３に示される例では、平面寸法が短辺側となる側面１ａとそれを挟む両角部とで凸部３を形成している。
【００１９】
さらに、網状容器１は、図１及び図２（ａ）に示すように、４枚全ての側面１ａ，１ｂを平面状に形成するか、又は図３（ａ）に示すように、壁面Ｗの一部を構成する一対の側面１ｂをそれぞれ所定の曲率で略平行に湾曲する曲面状に形成している。
すなわち、網状容器１には、４枚全ての側面１ａ，１ｂが平面状の直フェンス用網状容器１１と、一対の側面１ｂのみが所定の曲率で略平行に湾曲する曲フェンス用網状容器１２とがある。
これら直フェンス用網状容器１１及び曲フェンス用網状容器１２は、少なくとも側面１ｂの幅寸法及び高さ寸法が異なるものを複数種類用意し、更に曲フェンス用網状容器１２の場合には曲率が異なるものをそれぞれ複数種類用意し、これらを任意に組み合わせることで、所望の平面形状で所望の高さ寸法の壁面Ｗが形成されるようにしている。
【００２０】
網状容器１の高さ寸法は、後述する支柱２の地上における高さ寸法と略同じにするか、又はそれよりも短く形成する。
網状容器１の高さ寸法が後述する支柱２の地上における高さ寸法よりも短く形成される場合には、支柱２に沿って複数個の網状容器１を積み上げた時に、支柱２の地上における高さ寸法と略同じとなるように設定することが好ましい。
また、このように複数の網状容器１が積み上げられた時には、各網状容器１の開口部１ｃを上下方向に連通させることが好ましい。
【００２１】
網状容器１の二組の側面１ａ，１ｂのいずれか一方又は両方において、側面１ａ，１ｂの間隔を所定寸法に保持するために、その対向位置に亘って補強線１３を横架することが好ましい。
図２〜３に示される例では、壁面Ｗの一部を構成する一対の側面１ｂに亘って補強線１３が横架され、この補強線１３で両側面１ｂ全体の間隔を所定寸法に保持している。
図２（ａ）に示される例では、補強線１３を等間隔毎に４本固定し、図３（ａ）に示される例では、補強線１３を等間隔毎に２本固定しているが、網状容器１のサイズによって補強線１３の本数及び配置位置を変えることが好ましい。
【００２２】
さらに、複数の網状容器１が上下に積み上げられた際に、網目の目違い、詳しくは網目の食い違いや段差などが発生することを防止するため、網状容器１の積み上げ時に対向する上下端部のいずれか一方に、他方へ向け突出して積み上げ方向と交差する横方向へ移動不能に係合する突起部１４を設けることが好ましい。
図２〜３に示される例では、網状容器１の側面１ａ，１ｂの下端部又は上端部のどちらか一方に、突起部１４として線材を、側面１ａ，１ｂの網目とずらして相互に当接するように略平行に連結している。
特に、図２（ａ）及び図３（ａ）に示される例では、上段に積み上げられた網状容器１で平面寸法が長辺である側面１ｂの下端部内側から突起部１４として線材をそれぞれ下向きに突出するように設け、これら線材が、下段に位置する網状容器１の側面１ｂの上端部内側に挿入されて係合するようにしている。
突起部１４は必要に応じて、工具で叩くことなどにより取り外し可能となるように取り付けることが好ましい。それに伴って、網状容器１が最上段に積み上げられた場合など、突起部１４が邪魔になった際には簡単に取外すことができる。
また、図２（ａ）（ｂ）に示される例では、長辺の一方の側面１ｂに突設される突起部１４の位置と、長辺の他方の側面１ｂに突設される突起部１４の位置とを、側面１ａ，１ｂの長手方向へ網目一つ分又は複数分ずらして配置することにより、同一形状で上下いずれの段でも使用可能な網状容器１を構成している。すなわち、最下段を除く上段に使用する時には図示例の網状容器１を突起部１４が下向きに突出するように配置し、最下段に使用する時には図示例の網状容器１を上下逆転して突起部１４が上向きに突出するように配置することにより、これら上向きに突出する突起部１４と、上段の網状容器１から下向きに突出する突起部１４とが互いに突き当たることなく挿入できて積み重ね可能となる。
なお、その他の例として図示しないが、突起部１４として線材に代えて板材を取り付けたり、上下段のいずれか一方の網状容器１で平面寸法が短辺である側面１ａの端部から突起部１４を、他方の網状容器１で平面寸法が短辺である側面１ａの端部へ向け突設したり、網状容器１のサイズ変化によって突起部１４の数及び配置位置を変えることも可能である。
【００２３】
このような網状容器１の製造方法としては、側面１ａ，１ｂのいずれか一方がその中間位置から分離して二分割される一対の半分体１ｄをそれぞれ予め形成しておき、これら半分体１ｄをその端部１ｅ同士が当接するように向かい合わせて、半分体１ｄの端部１ｅ同士を溶接などで溶着するか又は他の固着手段で連結することにより、側面１ａ，１ｂを四角筒状に一体化することが好ましい。
図２（ｂ）及び図３（ｂ）に示される例では、支柱２と当接する側面１ａがその中央位置から横方向へ二分割されるように、金網などからなる平板状の網状板を平面チャンネル状（平面コの字形）に折れ曲げ加工することで、同形状の半分体１ｄが一対形成され、これら半分体１ｄの枠状端部１ｅ同士を突き合わせて溶着している。
なお、その他の例として図示しないが、壁面Ｗの一部を構成する一対の側面１ｂが二分割されるように、平板状の金網を平面チャンネル状（平面コの字形）に折り曲げて半分体を形成し、これら半分体の枠状端部同士を溶着したり、対向する二組の側面１ａ，１ｂを平面状又は曲面状にそれぞれ形成して、それらの端縁同士を溶接などで溶着するか又は他の固着手段で連結することも可能である。
【００２４】
支柱２は、石材又は例えばアルミニウムや鉄などの材料で形成され、その下端部２ａを地面Ｇ下に埋め込むことで移動不能に立設されている。
支柱２の全長又は少なくとも下端部２ａを除く地上部分で網状容器１の側面１ａと対向する側面２ｂには、凹部４又は凸部３が軸方向へ直線状に形成される。
図１に示される例では、側面２ｂの中央部を凹状に加工することで凹部４が形成されている。
【００２５】
さらに、支柱２は、壁面Ｗにおける配置個所に応じて断面形状が異なるもの複数種類用意している。
具体的には、平面直線状の壁面Ｗの中間位置に配置される中間支柱２１と、壁面Ｗの終端に配置される端支柱２２と、平面Ｌ字形などに屈曲した壁面Ｗのコーナー位置に配置されるコーナー支柱２３（図６参照）などを、それぞれ異なる高さ寸法毎に複数種類用意している。
すなわち、図１に示されるように、中柱２１の場合には、凹部４が背中合わせとなるように一対配置され、端柱２２の場合には、凹部４が一つ配置され、図６に示されるように、コーナー柱２３の場合には、凹部４が壁面Ｗの屈曲角度に応じて一対配置されている。
【００２６】
そして、支柱２に沿って複数の網状容器１が上下に積み上げられた時には、接続具５で連結することにより、例えば地震などの縦震動で各網状容器１が上下方向に分離しないようにすることが好ましい。
図４に示される例では、接続具５として断面コの字形（チャンネル状）の保持板５ａと、この保持板５ａと平行に配置される挟持板５ｂと、これら保持板５ａ及び挟持板５ｂに亘り貫通して進退自在に係合（螺合）する、例えばネジやボルトなどの締め付け軸５ｃとを備え、締め付け軸５ｃを回転操作することにより、挟持板５ｂと挟持板５ｂとの間に上段の網状容器１の枠状下端部１ｆと、下段の網状容器１の枠状上端部１ｇを挟み込んで分離不能に保持している。
なお、その他の例として図示しないが、接続具５の前述した作用と同様な機能を有していれば、従来周知構造の接続具に代えることも可能である。
【００２７】
さらに、網状容器１と支柱２が凸部３及び凹部４の嵌合により互いに当接した状態において、これら凸部３と凹部４とを係止具６で連結することにより、例えば地震などの横震動で網状容器１と支柱２が水平方向に分離しないようにすることが好ましい。
図５に示される例では、係止具６として支柱２（端支柱２２）の側面２ｂに埋め込まれるアンカープラグ６ａと、このアンカープラグ６ａにねじ込まれるビス６ｂとを備え、網状容器１の枠状側端部１ｈに対し必要に応じてワッシャーなどの係止片６ｃによりビス６ｂの頭部を係合させながらねじ込むことにより、網状容器１（直フェンス用網状容器１１）の枠状側端部１ｈが支柱２の側面２ｂに固定されている。
なお、その他の例として図示しないが、係止具６の前述した作用と同様な機能を有していれば、従来周知構造の係止具に代えることも可能である。
【００２８】
また、本発明の実施形態に係る屋外構築物Ａは、複数の網状容器１をそれぞれの側面１ａ，１ｂ同士が当接するように並べることで、壁面Ｗの一部が構成されるようにしたり、壁面Ｗの端部に網状容器１の側面１ａ，１ｂが露出するように並べることも可能である。
このように支柱２を配置せずに、網状容器１同士を連結したり、壁面Ｗの端部に並べられる網状容器１の側面１ａ，１ｂが露出するように配置した場合には、壁面Ｗの強度が部分的に低下するため、これら網状容器１同士の連結部や壁面Ｗの端部に並べられる網状容器１に補助支柱７を配置することが好ましい。
図６〜図９に示される例では、補助支柱７として、例えばスチールなどの金属で表面がメッキ加工された断面Ｌ字形の板材を用い、網状容器１の内側隅部にビスなどの固定具で着脱自在に固定することにより、その下端部７ａを網状容器１から突出させ、地面Ｇ下に埋め込むことで移動不能に立設されるようにしている。
なお、その他の例として図示しないが、補助支柱７の前述した作用と同様な機能を有していれば、断面Ｌ字形以外の形状の板材を使用することも可能である。
【００２９】
一方、網状容器１内に充填される石Ｓは、例えば火山岩を砕いた軽石や他の採石などからなり、網状容器１の開口部１ｃよりも小さいものを使用する。
特に、石Ｓとしては、多孔質で吸水性（保水性）に優れて比重が軽い軽石などを用いることが好ましい。
【００３０】
次に、本発明の実施形態に係る屋外構築物Ａの施工方法を手順に従って説明する。
先ず、図１に示すように、支柱２が所定間隔（等間隔）毎に配置され、それぞれの下端部２ａを地面Ｇ下に埋め込むことで、地面Ｇに対し垂直状に立てられ、少なくとも各支柱２の間に位置する地面Ｇを水平にする。
この状態で、これら支柱２の間に網状容器１を、それぞれの凸部及び凹部４が嵌合するように位置合わせし、上方から挿入してスライドさせ、網状容器１の下端を地面Ｇに当接させる。
【００３１】
さらに、複数の網状容器１を積み上げる場合には、前述した作業を繰り返す。
それが終了したら、積み上げられた網状容器１を接続具５で連結して分離しないようにし、凸部３と凹部４を係止具６で連結して網状容器１と支柱２が分離しないようにする。  そして、網状容器１の開口部１ｃに対し、石Ｓを上から充填すれば完了する。
【００３２】
このような屋外構築物Ａによると、例えば図１に示されるように、各網状容器１が支柱２で支えられるため、地震などの振動に倒れ難い壁面Ｗが形成され、更に網状容器１内の多数の石Ｓが網目を透して外から見えるため、石垣風の網状容器１と支柱２が組み合わされた壁面Ｗを簡単に設置することができる。
特に、網状容器１が支柱２に沿って複数個積み上げられ、これら網状容器１の開口部１ｃを連通するように配置した場合には、壁面Ｗ全体の高さ寸法に関係なく、各網状容器１の高さ寸法が低くなり、積み上げた各網状容器１の開口部１ｃに対して石Ｂが一度に充填可能になるため、網状容器１の小型化を図りつつ石の充填を容易にすることができる。
【００３３】
また、壁面Ｗの一部を構成する一対の側面１ｂの対向位置に亘って補強線１３を横架した場合には、網状容器１の内部に多数の石Ｓを充填した際に、これら石Ｓの重量で各側面１ｂが膨出変形しないため、金網などの網状材料が細いなどの理由で曲げ強度が低くても石Ｓの充填により壁面Ｗの一部を構成する側面１ｂが膨出することを防止することができる。
また、網状容器１の側面１ａ，１ｂでその積み上げ時に対向する下端部又は上端部のいずれか一方に、他方へ向け突出して積み上げ方向と交差する横方向へ移動不能に係合する突起部１４を、該側面１ａ，１ｂの網目とずらして相互に当接するように形成した場合には、複数の網状容器１が積み上げられた時に、それらの側面１ａ，１ｂの網目が連続するように配置されるとともに、側面１ａ，１ｂ同士が横方向へ移動不能に位置決めされるため、網状容器１の積み上げ時における網目の目違いを防止することができる。
また、網状容器１が四角筒状となる対向する二組の側面１ａ，１ｂを有し、これら側面１ａ，１ｂのいずれか一方が二分割される一対の半分体１ｄを形成し、前記半分体１ｄの端部１ｅ同士をそれぞれ当接させて四角筒状に連結する場合には、平板状に形成された網状板を４枚用意して、これら網状板の端部同士を当接させ溶接などで連結するものに比べ、連結個所が減るため、網状容器１の製造時における連結個所を減らして容易に製造することができる。
以下、本発明の各実施例を図面に基づいて説明する。
【実施例１】
【００３４】
実施例１に係る屋外構築物Ａは、図６に示すように、端支柱２２の側面２ｂとコーナー支柱２３の一方の側面２ｂとの間に、複数の直フェンス用網状容器１１を縦横方向へそれぞれ並べて、端支柱２２及びコーナー支柱２３の一方の側面２ｂに形成される凹部４と、直フェンス用網状容器１１の側面１ａ及び両角部に形成される凸部３とを嵌合させることにより、前側の壁面Ｗ１を立設し、コーナー支柱２３の他方の側面２ｂと当接するように、複数の直フェンス用網状容器１１を縦横方向へそれぞれ並べて、コーナー支柱２３の他方の側面２ｂに形成される凹部４と、直フェンス用網状容器１１の側面１ａ及び両角部に形成される凸部３を嵌合させて並べることにより、後側の壁面Ｗ２が立設され、平面Ｌ字形の外構（塀）となる場合を示すものである。
【００３５】
そして、直フェンス用網状容器１１の側面１ａ同士が連結される部分においていずれか一方の内側隅部に、補助支柱７として断面Ｌ字形の板材を固定し、後側の壁面Ｗ２を構成する直フェンス用網状容器１１の端部側の内側隅部に、補助支柱７として断面Ｌ字形の板材を固定している。
なお、その他の例として図示しないが、後側の壁面Ｗ２を構成する直フェンス用網状容器１１の端部に、補助支柱７に代えて、前側の壁面Ｗ１を構成する直フェンス用網状容器１１の端部と同様に端支柱２２を当接させて立設したり、これら前側の壁面Ｗ１及び後側の壁面Ｗ２のいずれか一方又は両方の途中に中柱２１を配置することも可能である。
【００３６】
また、図６に示される例では、前側の壁面Ｗ１及び後側の壁面Ｗ２において、直フェンス用網状容器１１の積み上げ高さを変えている。
なお、その他の例として図示しないが、網状容器１の積み上げ高さを全て同じにすることも可能である。
【００３７】
さらに、図６に示される例では、網状容器１内に充填される石Ｓとして吸水性（保水性）に優れた軽石などを充填することで、壁面Ｗ１，Ｗ２の表面に植栽Ｐ１を絡ませたり、Ｗ１，Ｗ２の上面全体又は一部にグランドカバーＰ２を植えて緑の笠木となるようにしている。
【実施例２】
【００３８】
実施例２に係る屋外構築物Ａは、図７に示すように、端支柱２２の側面２ｂと当接するように、複数の曲フェンス用網状容器１２を縦横方向へそれぞれ並べて、端支柱２２の側面２ｂに形成される凹部４と、曲フェンス用網状容器１２の側面１ａ及び両角部に形成される凸部３とを嵌合させることにより、曲面状の壁面Ｗ３が立設されて、平面略Ｓ字形の外構（塀）となる構成が、図６に示した実施例１とは異なり、それ以外の構成は図６に示した実施例１と同じものである。
【００３９】
そして、曲フェンス用網状容器１２の側面１ａ同士が連結される部分においていずれか一方の内側隅部に、補助支柱７として断面Ｌ字形の板材を固定し、壁面Ｗ３の端部に配置される曲フェンス用網状容器１２の内側隅部に、補助支柱７として断面Ｌ字形の板材を固定している。
なお、その他の例として図示しないが、壁面Ｗ３の端部に配置される曲フェンス用網状容器１２に、補助支柱７に代えて、壁面Ｗ３の端部に配置される曲フェンス用網状容器１２に端支柱２２を当接させて立設したり、壁面Ｗ３の途中に中柱２１やコーナー支柱２３を配置することも可能である。
【００４０】
さらに、図７に示される例では、平面略Ｓ字形の外構であるが、曲フェンス用網状容器１２の向きを変えて平面円弧状に配置することも可能である。
【実施例３】
【００４１】
実施例３に係る屋外構築物Ａは、図８に示すように、中柱２１の側面２ｂと当接するように、複数の直フェンス用網状容器１１を縦横方向へそれぞれ並べて、中柱２１の側面２ｂに形成される凹部４と、直フェンス用網状容器１１の側面１ａ及び両角部に形成される凸部３とを嵌合させることにより、主となる壁面Ｗ４が立設され、この壁面Ｗ４の一端部と当接するように複数の直フェンス用網状容器１１を縦方向へ並べることにより、補強用の壁面Ｗ５が立設されて、平面Ｌ字形の門柱となる構成が、図６に示した実施例１とは異なり、それ以外の構成は図６に示した実施例１と同じものである。
【００４２】
そして、主となる壁面Ｗ４の端部に配置される直フェンス用網状容器１１の一端部の内側隅部に、補助支柱７として断面Ｌ字形の板材を固定し、直フェンス用網状容器１１の他端部と補強用の壁面Ｗ５を構成する直フェンス用網状容器１１の一端部との連結部分においていずれか一方の内側隅部に、補助支柱７として断面Ｌ字形の板材を固定するとともに、補強用の壁面Ｗ５を構成する直フェンス用網状容器１１の他端部の内側隅部にも、補助支柱７として断面Ｌ字形の板材を固定している。
なお、その他の例として図示しないが、主となる壁面Ｗ４を構成する直フェンス用網状容器１１の一端部に、補助支柱７に代えて、端支柱２２を当接させて立設したり、中柱２１を端支柱２２に代えてそれより左側の壁面を削除したり、壁面Ｗ４と補強用の壁面Ｗ５との間にコーナー支柱２３を配置することも可能である。
【実施例４】
【００４３】
実施例４に係る屋外構築物Ａは、図９に示すように、中柱２１の側面２ｂと当接するように、複数の曲フェンス用網状容器１２を縦横方向へそれぞれ並べて、中柱２１の側面２ｂに形成される凹部４と、曲フェンス用網状容器１２の側面１ａ及び両角部に形成される凸部３とを嵌合させることにより、主となる曲面状の壁面Ｗ６が立設され、この壁面Ｗ６の一端部と当接するように、複数の直フェンス用網状容器１１と曲フェンス用網状容器１２を縦方向へ並べることにより、補強用の壁面Ｗ７が立設されて、平面略Ｔ字形の門柱となる構成が、図６に示した実施例１とは異なり、それ以外の構成は図６に示した実施例１と同じものである。
【００４４】
そして、主となる曲面状の壁面Ｗ６の端部を構成する曲フェンス用網状容器１２の内側隅部と、補強用の壁面Ｗ７構成する直フェンス用網状容器１１及び曲フェンス用網状容器１２の内側隅部に、補助支柱７として断面Ｌ字形の板材を固定し、これら主となる曲面状の壁面Ｗ６を構成する曲フェンス用網状容器１２と補強用の壁面Ｗ７構成する直フェンス用網状容器１１との連結部分においていずれか一方の内側隅部に、補助支柱７として断面Ｌ字形の板材を固定している。
なお、その他の例として図示しないが、主となる曲面状の壁面Ｗ６の端部を構成する曲フェンス用網状容器１２に、補助支柱７に代えて、端支柱２２を当接させて立設したり、中柱２１を端支柱２２に代えてそれより左側の壁面を削除したり、壁面Ｗ６と補強用の壁面Ｗ７との間に中柱２１やコーナー支柱２３を配置することも可能である。
【００４５】
なお、前示実施例では、網状容器１の側面１ａ及び両角部に形成される凸部３と、支柱２の側面２ｂに形成される凹部４とを嵌合させたが、これに限定されず、これと逆に網状容器１の側面１ａに形成される凹部と、支柱２の側面２ａに形成される凸部とを嵌合させても良い。
また、屋外構築物Ａが、平面Ｌ字形や平面略Ｓ字形の外構（塀）、平面Ｌ字形や平面Ｔ字形の門柱として使用される場合のみを示したが、これに限定されず、その他に例えば門袖、門柱、花壇、ベンチなどの一般家屋のエクステリアとして使用されるようにしても良い。
【符号の説明】
【００４６】
１  網状容器                          １ａ  側面
１ｂ  側面                            １ｃ  開口部
１ｄ  半分体                          １３  補強線
１４  突起部                          ２  支柱
３  凸部                              ４  凹部
Ｓ  石                                Ｗ  壁面
【図１】
2011083200.tif 000003
【図２】
2011083200.tif 000004
【図３】
2011083200.tif 000005
【図４】
2011083200.tif 000006
【図５】
2011083200.tif 000007
【図６】
2011083200.tif 000008
【図７】
2011083200.tif 000009
【図８】
2011083200.tif 000010
【図９】
2011083200.tif 000011